(57)【要約】【課題】サムネイル画像表示において、人物の顔の確認を容易としつつ画像全体も同時に確認可能とする。【解決手段】表示画面上に複数の表示対象画像を並べて表示するサムネイル画像再生モードにおいて、各表示対象画像の中から人物の顔を検出して顔の大きさを評価する。そして、比較的小さな顔を含む表示対象画像の表示サイズを、他の表示対象画像（例えば、顔を含まない風景画像）のそれよりも大きくする。或いは、比較的小さな顔を含む表示対象画像から、顔を含む一部画像を切り出し、通常のサムネイル画像表示と同時に該一部画像の拡大画像を表示する。【選択図】図４
2008109553.tif 000002
【特許請求の範囲】
【請求項１】
表示画面上に複数の表示対象画像を並べて表示可能な表示手段と、
前記表示手段の表示内容を制御する表示制御手段と、
各表示対象画像の中から所定種類の物体を検出する物体検出手段と、を備え、
前記表示制御手段は、前記複数の表示対象画像を並べて表示させる際、
検出された前記物体の大きさに応じて、前記表示画面上における各表示対象画像の表示サイズを決定する
ことを特徴とする画像再生装置。
【請求項２】
前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像の表示サイズを所定の基準表示サイズよりも大きくした上で、前記複数の表示対象画像を並べて表示させる
ことを特徴とする請求項１に記載の画像再生装置。
【請求項３】
表示画面上に複数の表示対象画像を並べて表示可能な表示手段と、
前記表示手段の表示内容を制御する表示制御手段と、
各表示対象画像の中から所定種類の物体を検出する物体検出手段と、を備え、
前記表示制御手段は、前記複数の表示対象画像を並べて表示させる際、
前記複数の表示対象画像の各全体画像を表示するための複数の全体画像表示領域を前記表示画面上に設けると共に、検出された前記物体の大きさに応じて、前記表示対象画像内における前記物体を含む一部画像を拡大表示するための一部画像表示領域を前記表示画面上に設ける
ことを特徴とする画像再生装置。
【請求項４】
前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像を拡大対象画像として取り扱い、
前記一部画像としての、前記拡大対象画像内における前記物体を含む一部画像を、前記一部画像表示領域に表示させる
ことを特徴とする請求項３に記載の画像再生装置。
【請求項５】
前記拡大対象画像内に、前記物体としてｎ個の物体（ｎは２以上の整数）が含まれていると共に前記拡大対象画像に対する前記一部画像表示領域の個数がｍであり（ｍは１以上の整数）、且つ、ｎ＞ｍが成立する場合、
前記表示制御手段は、前記拡大対象画像から各物体を含むｎ個の一部画像を抽出し、前記ｍ個の一部画像表示領域を時分割で用いることにより、前記ｎ個の一部画像を前記ｍ個の一部画像表示領域に表示させる
ことを特徴とする請求項４に記載の画像再生装置。
【請求項６】
表示画面上に複数の表示対象画像を並べて表示可能な表示手段と、
前記表示手段の表示内容を制御する表示制御手段と、を備え、
前記表示制御手段は、前記複数の表示対象画像を並べて表示させる際、
前記複数の表示対象画像の各全体画像を表示するための複数の全体画像表示領域を前記表示画面上に設けると共に、前記表示対象画像内の一部画像を拡大表示するための一部画像表示領域を前記表示画面上に設け、
前記表示対象画像内を時間経過に伴って移動する注目領域内の画像を前記一部画像として前記一部画像表示領域に表示させる
ことを特徴とする画像再生装置。
【請求項７】
各表示対象画像の中から所定種類の物体を検出する物体検出手段、を更に備え、
前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像を拡大対象画像として取り扱って、前記拡大対象画像内に前記注目領域を定義する
ことを特徴とする請求項６に記載の画像再生装置。
【請求項８】
請求項１〜請求項７の何れかに記載の画像再生装置と、
撮影によって撮影画像を生成する撮像手段と、
前記撮影画像を含む複数の画像を記憶する記憶手段と、を備え、
前記複数の画像の中から、前記画像再生装置に対する前記表示対象画像が選択される
ことを特徴とする撮像装置。
【請求項９】
表示画面上に複数の表示対象画像を並べて表示する画像再生方法において、
各表示対象画像の中から所定種類の物体を検出し、検出された前記物体の大きさに応じて、前記表示画面上における各表示対象画像の表示サイズを決定する
ことを特徴とする画像再生方法。
【請求項１０】
表示画面上に複数の表示対象画像を並べて表示する画像再生方法において、
各表示対象画像の中から所定種類の物体を検出し、
前記複数の表示対象画像の各全体画像を表示するための複数の全体画像表示領域を前記表示画面上に設けると共に、検出された前記物体の大きさに応じて、前記表示対象画像内における前記物体を含む一部画像を拡大表示するための一部画像表示領域を前記表示画面上に設ける
ことを特徴とする画像再生方法。
【請求項１１】
表示画面上に複数の表示対象画像を並べて表示する画像再生方法において、
前記複数の表示対象画像の各全体画像を表示するための複数の全体画像表示領域を前記表示画面上に設けると共に、前記表示対象画像内の一部画像を拡大表示するための一部画像表示領域を前記表示画面上に設け、
前記表示対象画像内を時間経過に伴って移動する注目領域内の画像を前記一部画像として前記一部画像表示領域に表示させる
ことを特徴とする画像再生方法。
【発明の詳細な説明】
【技術分野】
【０００１】
本発明は、画像を再生表示する画像再生装置及び画像再生方法に関する。また本発明は、撮像装置に関する。本発明は、特に、複数の画像を並べて表示する技術に関する。
【背景技術】
【０００２】
撮像装置に備えられた表示部の表示画面を利用して、撮影済みの大量の画像の中から所望の画像を探索したり、各画像の内容を確認したりする場合、１枚の画像を表示画面全体で表示する通常表示手法又は複数の画像を並べて表示するサムネイル表示手法が利用される。
【０００３】
通常表示手法を用いれば、画像の中に含まれている人物の顔の確認が比較的容易となり、画像内容の確認は容易となるが、１枚ずつしか表示できないために所望の画像を短時間で探し出すことが困難となる。これに対し、サムネイル表示手法を用いれば、複数の画像を同時に確認できるため、短時間での探索が可能となる。
【０００４】
しかしながら、従来のサムネイル表示手法では、画像内容に関わらず画像サイズを一律に小さくして各画像を表示するため、撮影された人物の確認が困難となる場合がある。
【０００５】
このような問題を解決することを目的として、下記特許文献１に以下の手法が開示されている。この手法では、撮影画像から人物の顔を検出し、その顔を含む顔画像を全体画像（撮影された画像の全体）から切り出す。そして、その顔画像を全体画像に代えてサムネイル表示する。或いは、顔画像と全体画像を、一定時間ごとに或いは操作に応じて交互表示する。
【０００６】
【特許文献１】特開２００５−２６９５６３号公報
【発明の開示】
【発明が解決しようとする課題】
【０００７】
しかしながら、顔画像を全体画像に代えてサムネイル表示すれば、全体画像中の顔の部分だけしか確認できなくなるため、画像全体の景色が分からず、かえって所望の画像の探索が困難となる場合がある。また、顔画像と全体画像を交互表示したとしても、同時に顔と全体の景色とを確認することができないため、顔が全体の景色の中でどのあたりに映っていたのかをユーザが記憶しておく必要があり、ユーザに余計な負担を強いる。また、交互表示するために追加的な操作を必要とすることも、ユーザに余計な負担を強いる。
【０００８】
人物の顔に着目して、従来の手法の問題点を説明したが、人物の顔以外の物体に着目した場合も同様の問題が発生しうる。
【０００９】
そこで本発明は、複数の画像を並べて表示した場合における、各画像の内容把握の容易化に寄与する画像再生装置及び画像再生方法並びに撮像装置を提供することを目的とする。特に、画像全体と着目すべき物体の同時確認の容易化に寄与する画像再生装置及び画像再生方法並びに撮像装置を提供することを目的とする。
【課題を解決するための手段】
【００１０】
上記目的を達成するために本発明に係る第１の画像再生装置は、表示画面上に複数の表示対象画像を並べて表示可能な表示手段と、前記表示手段の表示内容を制御する表示制御手段と、各表示対象画像の中から所定種類の物体を検出する物体検出手段と、を備え、前記表示制御手段は、前記複数の表示対象画像を並べて表示させる際、検出された前記物体の大きさに応じて、前記表示画面上における各表示対象画像の表示サイズを決定することを特徴とする。
【００１１】
物体検出手段は、着目される可能性が比較的高いと推測される物体（例えば、人物の顔）を検出する。そして、画像上の物体の大きさに応じて、各表示対象画像の表示サイズを決定する。これにより、例えば、物体の大きさが比較的小さい場合、その物体を含む表示対象画像を比較的大きく表示するといったことが可能となり、各表示対象画像の内容把握容易化が図られる。
【００１２】
具体的には例えば、第１の画像再生装置において、前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像の表示サイズを所定の基準表示サイズよりも大きくした上で、前記複数の表示対象画像を並べて表示させる。
【００１３】
また、上記目的を達成するために本発明に係る第２の画像再生装置は、表示画面上に複数の表示対象画像を並べて表示可能な表示手段と、前記表示手段の表示内容を制御する表示制御手段と、各表示対象画像の中から所定種類の物体を検出する物体検出手段と、を備え、前記表示制御手段は、前記複数の表示対象画像を並べて表示させる際、前記複数の表示対象画像の各全体画像を表示するための複数の全体画像表示領域を前記表示画面上に設けると共に、検出された前記物体の大きさに応じて、前記表示対象画像内における前記物体を含む一部画像を拡大表示するための一部画像表示領域を前記表示画面上に設けることを特徴とする。
【００１４】
これにより、ユーザは、表示対象画像の全体と、着目される可能性が比較的高いと推測される物体（例えば、人物の顔）と、を同時に確認することができ、各表示対象画像の内容把握容易化が図られる。
【００１５】
具体的には例えば、第２の画像再生装置において、前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像を拡大対象画像として取り扱い、前記一部画像としての、前記拡大対象画像内における前記物体を含む一部画像を、前記一部画像表示領域に表示させる。
【００１６】
また例えば、第２の画像再生装置において、前記拡大対象画像内に、前記物体としてｎ個の物体（ｎは２以上の整数）が含まれていると共に前記拡大対象画像に対する前記一部画像表示領域の個数がｍであり（ｍは１以上の整数）、且つ、ｎ＞ｍが成立する場合、前記表示制御手段は、前記拡大対象画像から各物体を含むｎ個の一部画像を抽出し、前記ｍ個の一部画像表示領域を時分割で用いることにより、前記ｎ個の一部画像を前記ｍ個の一部画像表示領域に表示させる。
【００１７】
そして例えば、第２の画像再生装置において、前記一部画像表示領域は、前記複数の全体画像表示領域と重ならないように前記表示画面上に設けられる。
【００１８】
これに代えて例えば、第２の画像再生装置において、前記一部画像表示領域の一部または全部は、その一部画像表示領域に対応する前記全体画像表示領域に重なるように前記表示画面上に設けられる。
【００１９】
そしてこの場合、例えば、前記一部画像表示領域のサイズは時間と共に変化し、これに連動して、表示の際の前記一部画像の拡大倍率は変化する。
【００２０】
また、上記目的を達成するために本発明に係る第３の画像再生装置は、表示画面上に複数の表示対象画像を並べて表示可能な表示手段と、前記表示手段の表示内容を制御する表示制御手段と、を備え、前記表示制御手段は、前記複数の表示対象画像を並べて表示させる際、前記複数の表示対象画像の各全体画像を表示するための複数の全体画像表示領域を前記表示画面上に設けると共に、前記表示対象画像内の一部画像を拡大表示するための一部画像表示領域を前記表示画面上に設け、前記表示対象画像内を時間経過に伴って移動する注目領域内の画像を前記一部画像として前記一部画像表示領域に表示させることを特徴とする。
【００２１】
これにより、ユーザは、表示対象画像を全体的に見ながら、局所的な拡大画像を同時に確認することができ、各表示対象画像の内容把握容易化が図られる。
【００２２】
具体的には例えば、第３の画像再生装置において、各表示対象画像の中から所定種類の物体を検出する物体検出手段、を更に備え、前記表示制御手段は、前記物体が検出された前記表示対象画像に対して、その物体の大きさに応じたサイズ評価値を算出し、前記サイズ評価値が所定の第１閾値よりも小さい場合または前記表示対象画像の全体画像サイズに対する前記サイズ評価値の比が所定の第２閾値よりも小さい場合、そのサイズ評価値に対応する前記表示対象画像を拡大対象画像として取り扱って、前記拡大対象画像内に前記注目領域を定義する。
【００２３】
そして例えば、第３の画像再生装置において、前記一部画像表示領域は、前記複数の全体画像表示領域と重ならないように前記表示画面上に設けられる。
【００２４】
これに代えて例えば、第３の画像再生装置において、前記一部画像表示領域の一部または全部は、その一部画像表示領域に対応する前記全体画像表示領域に重なるように前記表示画面上に設けられる。
【００２５】
また例えば、第１、第２又は第３の画像再生装置において、前記物体は、人物の顔を含む。
【００２６】
また、上記目的を達成するために本発明に係る撮像装置は、第１、第２又は第３の画像再生装置と、撮影によって撮影画像を生成する撮像手段と、前記撮影画像を含む複数の画像を記憶する記憶手段と、を備える。前記複数の画像の中から、前記画像再生装置に対する前記表示対象画像が選択される。
【００２７】
また、上記目的を達成するために本発明に係る第１の画像再生方法は、表示画面上に複数の表示対象画像を並べて表示する画像再生方法において、各表示対象画像の中から所定種類の物体を検出し、検出された前記物体の大きさに応じて、前記表示画面上における各表示対象画像の表示サイズを決定することを特徴とする。
【００２８】
また、上記目的を達成するために本発明に係る第２の画像再生方法は、表示画面上に複数の表示対象画像を並べて表示する画像再生方法において、各表示対象画像の中から所定種類の物体を検出し、前記複数の表示対象画像の各全体画像を表示するための複数の全体画像表示領域を前記表示画面上に設けると共に、検出された前記物体の大きさに応じて、前記表示対象画像内における前記物体を含む一部画像を拡大表示するための一部画像表示領域を前記表示画面上に設けることを特徴とする。
【００２９】
また、上記目的を達成するために本発明に係る第３の画像再生方法は、表示画面上に複数の表示対象画像を並べて表示する画像再生方法において、前記複数の表示対象画像の各全体画像を表示するための複数の全体画像表示領域を前記表示画面上に設けると共に、前記表示対象画像内の一部画像を拡大表示するための一部画像表示領域を前記表示画面上に設け、前記表示対象画像内を時間経過に伴って移動する注目領域内の画像を前記一部画像として前記一部画像表示領域に表示させることを特徴とする。
【発明の効果】
【００３０】
本発明は、複数の画像を並べて表示した場合における、各画像の内容把握の容易化に寄与する。
【発明を実施するための最良の形態】
【００３１】
以下、本発明の実施の形態につき、図面を参照して具体的に説明する。参照される各図において、同一の部分には同一の符号を付し、同一の部分に関する重複する説明を原則として省略する。後に第１〜第５実施例を説明するが、まず、各実施例に共通する事項又は各実施例にて参照される事項について説明する。
【００３２】
図１は、本発明の実施の形態に係る撮像装置１の全体ブロック図である。撮像装置１は、静止画を撮影可能なデジタルスチルカメラ、又は、静止画及び動画を撮影可能なデジタルビデオカメラである。
【００３３】
撮像装置１は、撮像部１１と、ＡＦＥ（Analog Front End）１２と、制御部１３と、顔検出部１４と、表示部１５と、記録媒体１６と、操作部１７と、を備えている。制御部１３は、表示部１５の表示内容を制御する表示制御部としての機能をも備え、表示部１５の表示画面上に画像を表示するための領域の定義、その領域に画像を表示させる処理など、表示に必要な制御を行う（詳細は後述）。
【００３４】
図２に撮像部１１の内部構成図を示す。撮像部１１にカラーフィルタなどを用いることにより、撮像装置１は、撮影によってカラー画像を生成可能なように構成されている。  撮像部１１は、ズームレンズ３０及びフォーカスレンズ３１を含む複数枚のレンズを備えて構成される光学系３５と、絞り３２と、撮像素子３３と、ドライバ３４を有している。ズームレンズ３０及びフォーカスレンズ３１は光軸方向に移動可能である。
【００３５】
モータ等から成るドライバ３４は、制御部１３からの制御信号に基づいて、ズームレンズ３０及びフォーカスレンズ３１の移動を制御し、光学系３５のズーム倍率や焦点距離を制御する。また、ドライバ３４は、制御部１３からの制御信号に基づいて絞り３２の開度（開口部の大きさ）を制御する。
【００３６】
被写体からの入射光は、光学系３５を構成する各レンズ及び絞り３２を介して、撮像素子３３に入射する。光学系３５を構成する各レンズは、被写体の光学像を撮像素子３３上に結像させる。
【００３７】
撮像素子３３は、例えばＣＣＤ（Charge Coupled Devices）やＣＭＯＳ（Complementary Metal Oxide Semiconductor）イメージセンサからなる。撮像素子３３は、光学系３５及び絞り３２を介して入射した光学像を光電変換し、該光電変換によって得られた電気信号をＡＦＥ１２に出力する。より具体的には、撮像素子３３は、マトリクス状に二次元配列された複数の画素（受光画素；不図示）を備え、各撮影において、各画素は露光時間に応じた電荷量の信号電荷を蓄える。蓄えた信号電荷の電荷量に比例した大きさを有する各画素からの電気信号は、タイミングジェネレータ（不図示）からの駆動パルスに従って、後段のＡＦＥ１２に順次出力される。
【００３８】
ＡＦＥ１２は、撮像部１１（撮像素子３３）から出力されるアナログ信号を増幅し、増幅されたアナログ信号をデジタル信号に変換する。ＡＦＥ１２は、このデジタル信号を、順次、制御部１３に出力する。
【００３９】
制御部１３は、ＣＰＵ（Central Processing Unit）、ＲＯＭ（Read Only Memory）及びＲＡＭ（Random Access Memory）等を備え、映像信号処理部としても機能する。制御部１３は、ＡＦＥ１２の出力信号に基づいて、撮像部１１によって撮影された画像（以下、「撮影画像」ともいう）を表す映像信号を生成する。
【００４０】
制御部１３は、撮影画像中のフォーカス検出領域内のコントラスト量に応じたＡＦ評価値を検出するＡＦ評価値検出部、及び、撮影画像の明るさに応じたＡＥ評価値を検出するＡＥ評価値検出部を含む。制御部１３は、ＡＦ評価値に応じて図２のドライバ３４を介してフォーカスレンズ３１の位置を調節することにより、被写体の光学像を撮像素子３３の撮像面に結像させる。また、制御部１３は、ＡＥ評価値に応じて図２のドライバ３４を介して絞り３２の開度を調節することにより、撮影画像の明るさを制御する。
【００４１】
図１の顔検出部１４は、各撮影画像の中から人物の顔を検出して、顔を含む顔領域を抽出する。顔検出部１４の検出結果を受け、制御部１３は、画像上における、顔の大きさや位置を認識する。画像中に含まれる顔を検出する手法として様々な手法が知られており、顔検出部１４は何れの手法をも採用可能である。例えば、特開２０００−１０５８１９号公報に記載の手法のように撮影画像から肌色領域を抽出することによって顔（顔領域）を検出しても良いし、特開２００６−２１１１３９号公報、特開２００６−７２７７０号公報又は上記特許文献１に記載の手法を用いて顔（顔領域）を検出しても良い。
【００４２】
典型的には例えば、入力画像（即ち、撮影画像）内に設定された着目領域の画像と所定の画像サイズを有する基準顔画像とを対比して両画像の類似度を判定し、その類似度に基づいて着目領域に顔が含まれているか否か（着目領域が顔領域であるか否か）を検出する。類似判定は、顔であるか否かを識別するのに有効な特徴量を抽出することによって行う。特徴量は、水平エッジ、垂直エッジ、右斜めエッジ、左斜めエッジ等である。
【００４３】
入力画像において着目領域は一画素ずつ左右方向又は上下方向にずらされる。そして、ずらされた後の着目領域の画像と基準顔画像とが対比されて、再度、両画像の類似度が判定され、同様の検出が行われる。このように、着目領域は、例えば入力画像の左上から右下方向に向けて１画素ずつずらされながら、更新設定される。
【００４４】
また、入力画像（即ち、撮影画像）を一定割合で縮小し、縮小後の画像に対して、同様の顔検出処理を行う。このような処理を繰り返すことにより、入力画像中から任意の大きさの顔を検出することができる。
【００４５】
図１の表示部１５は、液晶ディスプレイパネル等から成る表示装置であり、制御部１３の制御の下、直前のフレームにて撮影された画像や記録媒体１６に記録されている画像などを表示する。記録媒体１６は、ＳＤ（Secure Digital）メモリカード等の不揮発性メモリであり、制御部１３による制御の下、撮影画像などを記憶する。操作部１７は、シャッタボタン及び所謂十字キー（何れも不図示）等から成り、外部からの操作を受け付ける。操作部１７に対する操作内容は、制御部１３に伝達される。
【００４６】
撮像装置１の動作モードには、静止画（及び動画）の撮影が可能な撮影モードと、記録媒体１６に記録された静止画（及び動画）を表示部１５に再生表示する再生モードと、が含まれる。操作部１７に対する操作に応じて、各モード間の遷移は実施される。
【００４７】
再生モードには、複数の画像を一覧表示するサムネイル画像再生モードと、１枚の画像のみを表示する通常再生モードと、が含まれる。サムネイル画像再生モードでは、記録媒体１６に記録されている複数の画像が表示部１５に一覧表示される、即ち、記録媒体１６に格納されている複数の画像が表示画面上に並べて同時表示される。
【００４８】
一覧表示される各画像は、記録媒体１６に記録されている各画像（即ち、各撮影画像）の縮小画像に相当する所謂サムネイル画像である。但し、或る着目画像に関し、該着目画像と該着目画像のサムネイル画像は、画像サイズが異なるだけで本質的には同じ画像である。このため、記述の簡略化上、本明細書では「着目画像の縮小画像（サムネイル画像）を表示する」場合でも、「着目画像を表示する」と表現する。
【００４９】
撮像装置１は、このサムネイル画像再生モードにおいて特徴的な再生方法をとる。この再生方法に着目した実施例として、以下に第１〜第５実施例を例示する。或る実施例に記載した事項は、矛盾なき限り、他の実施例にも適用可能である。
【００５０】
＜＜第１実施例＞＞
まず、第１実施例について説明する。今、記録媒体１６に記録されている複数の画像の内の、５枚の画像（撮影画像）に着目し、この５枚の画像をサムネイル画像再生モードにおいて表示部１５に一覧表示（並べて表示する）する場合を考える。制御部１３は、一覧表示されるべき画像（今の例の場合、上記５枚の画像）を、記録媒体１６に記録されている複数の画像の中から選択する。サムネイル画像再生モードにおいて一覧表示されるべき各画像を、特に、表示対象画像と呼ぶ。表示対象画像を、並列表示対象画像又は一覧表示対象画像と読み替えることもできる。
【００５１】
図３は、この５枚の表示対象画像Ｗ1、Ｗ2、Ｗ3、Ｗ4及びＷ5を示している。表示対象画像Ｗ1、Ｗ2及びＷ3には、夫々、被写体としての人物の顔が１つだけ含まれている（描写されている）。表示対象画像Ｗ4及びＷ5には、人物の顔が含まれていない。尚、図３及び顔の図示を含む後述の各図において、図示の煩雑化防止のため、顔以外の人体の構成要素（胴体や手足など）の図示を省略している。
【００５２】
顔検出部１４は、各表示対象画像の中から顔を検出する。制御部１３は、顔が検出された表示対象画像に対して、顔の大きさに応じた顔サイズ評価値を算出する。今の例の場合、表示対象画像Ｗ1、Ｗ2及びＷ3の夫々に対しては顔サイズ評価値が算出されるが、表示対象画像Ｗ4及びＷ5に対しては顔サイズ評価値は算出されない。尚、本明細書において、特に断りなき限り、「顔の大きさ」とは、「実空間における顔の大きさ」ではなく、「画像上における顔の大きさ」を意味するものとする。
【００５３】
顔サイズ評価値は、検出された顔の大きさに概ね比例する値として算出される。即ち例えば、顔サイズ評価値は、画像上における、検出された顔の面積或いは顔を構成する画素数で表され、検出された顔の大きさの増大に伴って増大する。表示対象画像Ｗ1、Ｗ2及びＷ3について算出された各顔サイズ評価値を、夫々、ＳW1、ＳW2及びＳW3にて表記する。図３に示す如く、表示対象画像Ｗ1における顔の大きさよりも表示対象画像Ｗ2におけるそれの方が大きく、且つ、表示対象画像Ｗ2における顔の大きさよりも表示対象画像Ｗ3におけるそれの方が大きい場合、ＳW1＜ＳW2＜ＳW3、が成立する。
【００５４】
制御部１３は、顔サイズ評価値ごとに、顔サイズ評価値を予め定められた第１閾値ＳTH1と比較する。そして、顔サイズ評価値が第１閾値ＳTH1よりも小さい場合は、その顔サイズ評価値に対応する表示対象画像の表示サイズを拡大表示サイズとする一方、顔サイズ評価値が第１閾値ＳTH1よりも大きい場合は、その顔サイズ評価値に対応する表示対象画像の表示サイズを基準表示サイズとする。ここにおける表示サイズとは、サムネイル画像再生モードにおける表示画面上の表示サイズである。また、拡大表示サイズは、基準表示サイズよりも大きい。
【００５５】
今、ＳW1＜ＳW2＜ＳTH1＜ＳW3、が成立するものとする。そうすると、表示対象画像Ｗ1及びＷ2についての表示サイズは拡大表示サイズとなり、表示対象画像Ｗ3についての表示サイズは基準表示サイズとなる。また、顔が含まれない表示対象画像Ｗ4及びＷ5についての表示サイズは基準表示サイズとされる。
【００５６】
図４は、サムネイル画像再生モードにおいて、表示対象画像Ｗ1〜Ｗ5を一覧表示した場合における表示画面の様子を示している。図４において、符号５０は、表示部１５の表示画面を表している。より具体的には、符号５０が付された四角枠は、表示部１５の表示画面における全表示領域を表している。図４に示す如く、表示対象画像Ｗ1〜Ｗ5が表示画面上に並べて同時表示されるが、表示対象画像Ｗ3〜Ｗ5についての表示サイズは基準表示サイズとされ、表示対象画像Ｗ1及びＷ2についての表示サイズは基準画像サイズよりも大きい拡大表示サイズとされる。即ち、表示画面上において、表示対象画像Ｗ1及びＷ2の夫々は、表示対象画像Ｗ3〜Ｗ5の夫々よりも大きく表示される。
【００５７】
サムネイル画像再生モードでは、複数の画像を一覧表示するため、各画像の表示サイズが比較的小さくなって人物の確認が困難になることが多い。これを考慮して、第１実施例では、顔が比較的小さい場合に、その顔に対応する表示対象画像の表示サイズを比較的大きくする。これにより、人物の確認が容易となる。また、特許文献１に記載の手法のように表示対象画像と表示対象画像の一部画像とが択一的に表示される訳ではないため、画像の内容把握が容易である。また、これらを実現するために、ユーザに追加的操作を強いることもない。
【００５８】
ところで、上述したように、顔サイズ評価値は、画像上の顔の大きさに概ね比例する値として算出される。一方において、表示対象画像の全体画像サイズが増減すれば、それに伴って画像上の顔の大きさも増減する。このため、顔サイズ評価値に算出の基なる表示対象画像の全体画像サイズの増減に伴って顔サイズ評価値も増減する。
【００５９】
これを考慮して、各表示対象画像の表示サイズを以下のように決定するようにしてもよい。即ち、顔サイズ評価値ごとに、表示対象画像の全体画像サイズに対する顔サイズ評価値の比と予め定められた第２閾値ＳTH2とを比較する。そして、前者が後者よりも小さい場合は、その顔サイズ評価値に対応する表示対象画像の表示サイズを拡大表示サイズとする一方、前者が後者よりも大きい場合は、その顔サイズ評価値に対応する表示対象画像の表示サイズを基準表示サイズとする。ここで、「表示対象画像の全体画像サイズに対する顔サイズ評価値の比」は、「表示対象画像の全体画像サイズを表す値に対する顔サイズ評価値の比」と、同意義である。
【００６０】
尚、全体画像サイズを考慮した値を上記閾値ＳTH1として設定しておけば、顔サイズ評価値と第１閾値ＳTH1との比較に基づく表示サイズの決定手法と、表示対象画像の全体画像サイズに対する顔サイズ評価値の比と第２閾値ＳTH2との比較に基づく表示サイズの決定手法と、は等価であるとも言える。
【００６１】
また、図５に示す表示対象画像Ｗ6のように、１つの表示対象画像内に複数の顔が含まれている場合は、以下の第１〜第４算出手法の何れかを採用して顔サイズ評価値を算出する。表示対象画像Ｗ6も、図１の記録媒体１６に記録されている画像である。
【００６２】
第１算出手法では、複数の顔の間で大きさを比較して最も小さい顔を注目顔として特定し、その注目顔の大きさにのみ着目して顔サイズ評価値を算出する。この場合、顔サイズ評価値は、その注目顔の大きさ（画像上の大きさ）に概ね比例する値として算出され、注目顔の大きさの増大に伴って増大する。
第２算出手法では、複数の顔の間で大きさを比較して最も大きい顔を注目顔として特定し、その注目顔の大きさにのみ着目して顔サイズ評価値を算出する。この場合、顔サイズ評価値は、その注目顔の大きさ（画像上の大きさ）に概ね比例する値として算出され、注目顔の大きさの増大に伴って増大する。
第３算出手法では、複数の顔の大きさの平均値（平均の大きさ）を算出し、その平均値から顔サイズ評価値を算出する。この場合、顔サイズ評価値は、その平均値に概ね比例する値として算出され、その平均値の増大に伴って増大する。
第４算出手法では、複数の顔の大きさの合計値（大きさの合計）を算出し、その合計値から顔サイズ評価値を算出する。この場合、顔サイズ評価値は、その合計値に概ね比例する値として算出され、その合計値の増大に伴って増大する。
【００６３】
人物の確認の容易性を考慮すれば、第１算出手法の採用が好ましい。
【００６４】
次に、図６を参照して、サムネイル画像再生モードにおける撮像装置１の動作手順を説明する。図６は、この動作手順を表すフローチャートである。
【００６５】
ステップＳ１において、表示対象画像が顔検出部１４に入力される。続くステップＳ２において、顔検出部１４は、与えられた表示対象画像の中から顔を検出する。続くステップＳ３では、顔が検出されたかを判断し、顔が検出された場合はステップＳ４に移行する一方、顔が検出されなかった場合はステップＳ７に移行する。このため、ステップＳ１にて入力された表示対象画像が表示対象画像Ｗ1、Ｗ2及びＷ3の何れかである場合はステップＳ４に移行し、表示対象画像Ｗ4又はＷ5である場合はステップＳ７に移行する。顔が検出されなかった表示対象画像に対する表示サイズは基準表示サイズとされる（ステップＳ７）。
【００６６】
ステップＳ４において顔サイズ評価値が算出された後、ステップＳ５において、顔サイズ評価値と第１閾値ＳTH1との比較を行う。そして、前者が後者よりも小さければステップＳ６に移行して着目している表示対象画像の表示サイズを拡大表示サイズとし、前者が後者よりも大きければステップＳ７に移行して着目している表示対象画像の表示サイズを基準表示サイズとする。上述したように、ステップＳ５における比較を、表示対象画像の全体画像サイズに対する顔サイズ評価値の比と第２閾値ＳTH2との比較に、置き換えても構わない。
【００６７】
ステップＳ６又はＳ７の処理を経て移行するステップＳ８では、一覧表示を行うために必要な枚数分の表示対象画像に対して、ステップＳ１〜Ｓ７から成る評価を実行したか否かを判断する。今の例の場合、表示対象画像Ｗ1〜Ｗ5に対してステップＳ１〜Ｓ７から成る評価を実行したか否かを判断する。この評価が完了している場合はステップＳ９に移行するが、この評価が完了していない場合はステップＳ１に戻って、ステップＳ１〜Ｓ７の処理が再度行われる。ステップＳ９では、ステップＳ６又はＳ７にて決定された各表示対象画像の表示サイズに従って、図４に示すような一覧表示を行う。
【００６８】
尚、制御部１３は、同時に一覧表示されるべき複数の表示対象画像の中に、拡大表示サイズが適用される表示対象画像が何枚あるかに応じて、同時に一覧表示される表示対象画像の枚数を適宜設定する。仮に、全ての表示対象画像に基準表示サイズが適用されるならば、例えば最大６枚の表示対象画像を同時に一覧表示することできる。
【００６９】
また、上記の第１閾値ＳTH1又は第２閾値ＳTH2は、任意の値に設定可能であり、それらの値によっては、例えば「ＳW1＜ＳTH1＜ＳW2＜ＳW3」が成立して表示対象画像Ｗ2に基準表示サイズが適用される。第１閾値ＳTH1又は第２閾値ＳTH2を、操作部１７に対する操作によって自由に変更できるようにしてもよい。
【００７０】
＜＜第２実施例＞＞
次に、第２実施例について説明する。第２実施例でも、第１実施例と同様、図１の表示対象画像Ｗ1〜Ｗ5を一覧表示する場合を例にとる。第１実施例と同様、顔検出結果を参照して、制御部１３は、表示対象画像Ｗ1〜Ｗ3に対する顔サイズ評価値ＳW1、ＳW2及びＳW3を算出する。
【００７１】
制御部１３は、顔サイズ評価値ごとに、顔サイズ評価値を第１閾値ＳTH1と比較する。そして、顔サイズ評価値が第１閾値ＳTH1よりも小さい場合は、その顔サイズ評価値に対応する表示対象画像を拡大対象画像として取り扱う（認定する）。一方、顔サイズ評価値が第１閾値ＳTH1よりも大きい場合は、その顔サイズ評価値に対応する表示対象画像を拡大対象画像として取り扱わないようにする。
【００７２】
或いは、第１実施例にて述べたのと同様、表示対象画像の全体画像サイズに対する顔サイズ評価値の比と第２閾値ＳTH2とを比較し、その比較結果に基づいて、拡大対象画像として取り扱う表示対象画像を決定するようにしても構わない。この場合、制御部１３は、顔サイズ評価値ごとに、表示対象画像の全体画像サイズに対する顔サイズ評価値の比と第２閾値ＳTH2とを比較する。そして、前者が後者よりも小さい場合は、その顔サイズ評価値に対応する表示対象画像を拡大対象画像として取り扱う（認定する）。一方、前者が後者よりも大きい場合は、その顔サイズ評価値に対応する表示対象画像を拡大対象画像として取り扱わないようにする。
【００７３】
今、不等式「ＳW1＜ＳW2＜ＳTH1＜ＳW3」が成立し、表示対象画像Ｗ1及びＷ2が拡大対象画像として取り扱われ（認定され）、表示対象画像Ｗ3は拡大対象画像として取り扱わなかった（認定されなかった）ものとする。また、顔を含まない表示対象画像Ｗ4及びＷ5は、拡大対象画像として取り扱われない（認定されない）。
【００７４】
制御部１３は、顔検出部１４の顔検出の結果に基づきつつ、拡大対象画像の中の、顔を含む一部画像を切り出す。顔検出の結果には、拡大対象画像における、顔の大きさや位置を特定する情報が含まれる。今の例の場合、図７（ａ）に示す如く表示対象画像Ｗ1の中から一部画像Ｐ1を切り出し、図７（ｂ）に示す如く表示対象画像Ｗ2の中から一部画像Ｐ2を切り出す。一部画像Ｐ1は、表示対象画像Ｗ1内に含まれる顔の全体を含む矩形画像である。一部画像Ｐ2は、表示対象画像Ｗ2内に含まれる顔の全体を含む矩形画像である。切り出された一部画像は、サムネイル画像再生モードにおける一覧表示時において拡大表示される。
【００７５】
図８に、第２実施例に係るサムネイル画像再生モードでの表示画面５０の領域分割例を示す。図８は、表示対象画像Ｗ1及びＷ2が拡大対象画像であるときの領域分割例を示している。
【００７６】
図８の表示画面５０上には、表示対象画像Ｗ1〜Ｗ5の各全体画像を表示するための５つの全体画像表示領域ＷＤ1〜ＷＤ5が設けられる。更に、図８の表示画面５０上には、一部画像Ｐ1及びＰ2を拡大表示するための一部画像表示領域ＰＤ1及びＰＤ2が設けられる。図８に示す如く、各一部画像表示領域は、各全体画像表示領域と別個に設けられる。即ち、各全体画像表示領域と各一部画像表示領域は、互いに重なり合わないように設けられる。
【００７７】
また、或る表示対象画像についての一部画像表示領域は、その表示対象画像についての全体画像表示領域に近接して配置される。図８に示す例では、表示対象画像Ｗ1についての一部画像表示領域ＰＤ1は、表示対象画像Ｗ1についての全体画像表示領域ＷＤ1に隣接して配置されている。一部画像表示領域ＰＤ2についても同様である。
【００７８】
以下、全体画像表示領域ＷＤ1〜ＷＤ5を、それぞれ単に表示領域ＷＤ1〜ＷＤ5と略記すると共に、一部画像表示領域ＰＤ1及びＰＤ2を、それぞれ単に表示領域ＰＤ1及びＰＤ2と略記する。
【００７９】
図９は、サムネイル画像再生モードにおいて、図８のように領域分割された表示画面５０上に各表示対象画像が一覧表示される様子を示している。図９に示す如く、表示領域ＷＤ1〜ＷＤ5に、夫々、表示対象画像Ｗ1〜Ｗ5の各全体画像が表示される（図１も併せて参照）。これに加えて、表示領域ＰＤ1及びＰＤ2に、夫々、図７の一部画像Ｐ1及びＰ2が表示される。制御部１３は、切り出した一部画像Ｐ1が表示領域ＰＤ1の全体を用いて表示されるように、一部画像Ｐ1を適宜拡大する。一部画像Ｐ2についても同様である。
【００８０】
第２実施例の再生手法を採用することにより、ユーザは、表示対象画像の全体と人物の顔の拡大画像とを同時に確認することができる。特許文献１に記載の手法のように表示対象画像と表示対象画像の一部画像とが択一的に表示される訳ではないため、画像の内容把握が容易である。また、これらを実現するために、ユーザに追加的操作を強いることもない。
【００８１】
次に、図５に示す表示対象画像Ｗ6のように、１つの表示対象画像内に複数の顔が含まれている場合について考える。表示対象画像Ｗ6には、２つの顔が含まれている。今、表示対象画像Ｗ1をＷ6に置換して考え、表示対象画像Ｗ6とＷ2〜Ｗ5を同時に一覧表示する場合を考える。そして、表示対象画像Ｗ6についての顔サイズ評価値が比較的小さく、表示対象画像Ｗ6が拡大対象画像として認定されたとする。
【００８２】
この場合、制御部１３は、顔検出部１４の顔検出の結果に基づきつつ、表示対象画像Ｗ6の中の、各顔を含む合計２つの一部画像を切り出す。即ち、図１０に示す如く、表示対象画像Ｗ6の中から一部画像Ｐ6AとＰ6Bを切り出す。表示対象画像Ｗ6に含まれる２つの顔を、顔Ｆ6A及び顔Ｆ6Bと呼ぶ。一部画像Ｐ6Aは、表示対象画像Ｗ6内に含まれる一方の顔Ｆ6Aの全体を含む矩形画像であり、一部画像Ｐ6Bは、表示対象画像Ｗ6内に含まれる他方の顔Ｆ6Bの全体を含む矩形画像である。
【００８３】
図１１（ａ）及び（ｂ）は、サムネイル画像再生モードにおいて、図８のように領域分割された表示画面５０上に表示対象画像Ｗ6とＷ2〜Ｗ5が同時に一覧表示される様子を示している。図９と同様、表示領域ＷＤ1、ＷＤ2、ＷＤ3、ＷＤ4及びＷＤ5に、それぞれ表示対象画像Ｗ6、Ｗ2、Ｗ3、Ｗ4、Ｗ5の各全体画像が表示され、表示領域ＰＤ2に一部画像Ｐ2が表示される。そして、表示領域ＰＤ1には一部画像Ｐ6AとＰ6Bが時分割で表示される。即ち、表示画面５０の表示状態は、図１１（ａ）に示すそれと、図１１（ｂ）に示すそれとの間で、一定時間が経過するごとに切り換わる。制御部１３は、切り出した一部画像Ｐ6A又はＰ6Bが表示領域ＰＤ1の全体を用いて表示されるように、一部画像Ｐ6A又はＰ6Bを適宜拡大する。
【００８４】
このように、或る１つの表示対象画像に関し、拡大表示されるべき一部画像の個数が一部画像表示領域の個数よりも多い場合、一部画像表示領域を時分割で用いることにより各一部画像を交互に表示する。これにより、表示対象画像に含まれる各人物の確認が容易となる。
【００８５】
また、１つの表示対象画像に対して、１つの全体画像表示領域と１つの一部画像表示領域を設ける例を示したが、１つの表示対象画像に対して複数の一部画像表示領域を設けることも可能である。仮に、表示対象画像Ｗ6に対して２つの一部画像表示領域を設ければ、各一部画像表示領域に、一部画像を１つずつ割り当てることも可能である。この場合、時分割による複数の一部画像の交互表示処理は必要なくなる。
【００８６】
尚、制御部１３は、表示画面５０内に設ける一部画像表示領域の総数に応じて、同時に一覧表示される表示対象画像の枚数を適宜設定する。また、同時に一覧表示されるべき複数の表示対象画像の全てが拡大対象画像でない場合、表示画面５０内に一部画像表示領域は設けられない。
【００８７】
また、上記の第１閾値ＳTH1又は第２閾値ＳTH2は、任意の値に設定可能であり、それらの値によっては、例えば「ＳW1＜ＳTH1＜ＳW2＜ＳW3」が成立して表示対象画像Ｗ2は拡大対象画像として認定されない。第１閾値ＳTH1又は第２閾値ＳTH2を、操作部１７に対する操作によって自由に変更できるようにしてもよい。
【００８８】
＜＜第３実施例＞＞
次に、第３実施例について説明する。第３実施例では、図１の表示対象画像Ｗ1〜Ｗ5と図５の表示対象画像Ｗ6を一覧表示する場合を例にとる。そして、第２実施例と同様の手法を用いることによって、表示対象画像Ｗ1〜Ｗ6の内、表示対象画像Ｗ1、Ｗ2及びＷ6のみが拡大対象画像として認定されたとする。
【００８９】
図１２に、第３実施例に係るサムネイル画像再生モードでの表示画面５０の領域分割例を示す。図１２では、表示画面５０に、６つの全体画像表示領域ＷＤ11〜ＷＤ16が設けられる。図１３は、サムネイル画像再生モードにおいて、図１２のように領域分割された表示画面５０上に各表示対象画像が一覧表示される様子を示している。以下、全体画像表示領域ＷＤ11〜ＷＤ16を、それぞれ単に表示領域ＷＤ11〜ＷＤ16と略記する。
【００９０】
図１３に示す如く、表示領域ＷＤ11〜ＷＤ16に、夫々、表示対象画像Ｗ1〜Ｗ6の各全体画像が表示される（図１及び図５も併せて参照）。図１３に示す表示画面５０の表示状態は、或る瞬間の表示状態であり、表示画面５０の表示状態は、拡大対象画像の存否に依存しつつ時間経過に伴って逐次変化する。
【００９１】
拡大対象画像としての表示対象画像Ｗ6が表示される表示領域ＷＤ16に着目して、この表示の遷移状態（変化状態）を説明する。
【００９２】
図１４は、表示領域ＷＤ16の表示の遷移状態を示す図である。表示領域ＷＤ16の表示画像は、一定時間が経過するごとに、図１４（ａ）の画像１０１、図１４（ｂ）の画像１０２、図１４（ｃ）の画像１０３、図１４（ｄ）の画像１０４及び図１４（ｅ）の画像１０５の順番で遷移し、画像１０５が表示されてから一定時間が経過すると再度、画像１０１が表示される。図１３に示す表示状態は、画像１０１が表示領域ＷＤ16に表示されている状態に対応している。図１４（ｂ）〜図１４（ｅ）に示される一部画像表示領域ＰＤ16B、ＰＤ16C、ＰＤ16D及びＰＤ16Eを、以下、それぞれ単に表示領域ＰＤ16B、ＰＤ16C、ＰＤ16D及びＰＤ16Eと略記する。
【００９３】
画像１０１は、表示対象画像Ｗ6の全体画像そのものである。画像１０１の表示後、一定時間が経過すると、表示領域ＷＤ16内に表示領域ＰＤ16Bが設けられ、表示領域ＰＤ16Bに図１０の一部画像Ｐ6Bが拡大表示される。即ち、表示領域ＷＤ16の表示画像が画像１０１から画像１０２に遷移する。
【００９４】
画像１０２が表示領域ＷＤ16に表示されるタイミングにおいて、表示領域ＰＤ16Bに対応する、表示対象画像Ｗ6の一部は、一時的に表示されないことになる。即ち、一部画像Ｐ6Bの拡大画像は、表示対象画像Ｗ6の全体画像上に表示される。画像１０３〜１０５についても同様である。
【００９５】
画像１０２の表示後、更に一定時間が経過すると、表示領域ＷＤ16内に表示領域ＰＤ16Cが設けられ、表示領域ＰＤ16Cに図１０の一部画像Ｐ6Bが拡大表示される。即ち、表示領域ＷＤ16の表示画像が画像１０２から画像１０３に遷移する。
続いて更に一定時間が経過すると、表示領域ＷＤ16内に表示領域ＰＤ16Dが設けられ、表示領域ＰＤ16Dに図１０の一部画像Ｐ6Aが拡大表示される。即ち、表示領域ＷＤ16の表示画像が画像１０３から画像１０４に遷移する。
続いて更に一定時間が経過すると、表示領域ＷＤ16内に表示領域ＰＤ16Eが設けられ、表示領域ＰＤ16Eに図１０の一部画像Ｐ6Aが拡大表示される。即ち、表示領域ＷＤ16の表示画像が画像１０４から画像１０５に遷移する。
【００９６】
表示対象画像Ｗ6に含まれる顔の個数は２つであるため、画像１０５を表示して一定時間が経過した後、表示領域ＷＤ16の表示画像は画像１０１に遷移するが、表示対象画像Ｗ6に更に別の顔が含まれている場合は、その別の顔に着目した拡大表示がなされる。
【００９７】
制御部１３は、切り出し処理によって得られた一部画像Ｐ6Bが表示領域ＰＤ16B又はＰＤ16Cの全体を用いて表示されるように、一部画像Ｐ6Bを適宜拡大する。そして、表示画面上における表示領域ＰＤ16Cのサイズは表示領域ＰＤ16Bのそれよりも大きい。つまり、制御部１３は、一部画像Ｐ6Bを表示するための一部画像表示領域のサイズを時間経過に伴って増大させ、そのサイズの増大に連動するように、表示の際における一部画像Ｐ6Bの画像サイズに対する拡大倍率を増加させる。但し、全体画像表示領域のサイズに応じて、一部画像表示領域のサイズには上限が設けられている。一部画像表示領域のサイズが上限に達すると、一部画像表示領域のサイズは縮小される、或いは、一部画像表示領域が一旦削除される。
【００９８】
一部画像Ｐ6Aについても同様である。即ち、制御部１３は、切り出し処理によって得られた一部画像Ｐ6Aが表示領域ＰＤ16D又はＰＤ16Eの全体を用いて表示されるように、一部画像Ｐ6Aを適宜拡大する。そして、表示画面上における表示領域ＰＤ16Eのサイズは表示領域ＰＤ16Dのそれよりも大きい。
【００９９】
第３実施例の再生手法を採用すれば、第２実施例と同様の効果が得られる。また、顔を含む一部画像の拡大倍率を時間と共に変化させることにより、ユーザは、画像全体の様子や顔が画像全体のどのあたりに位置しているかを追加的操作なしで確認することができるため、所望の画像の探索が容易となる。
【０１００】
表示領域ＷＤ16に着目して詳細な説明を行ったが、拡大対象画像としての表示対象画像Ｗ1及びＷ2が表示される表示領域ＷＤ11及びＷＤ12についても同様の表示制御がなされる。
【０１０１】
また、上述の例では、一部画像表示領域の全体が全体画像表示領域内に収まっているが、一部画像表示領域の一部が全体画像表示領域の外に位置していても構わない。即ち、一部画像表示領域の全部が、その一部画像表示領域に対応する全体画像表示領域に重なっていても良いし、一部画像表示領域の一部のみが、その一部画像表示領域に対応する全体画像表示領域に重なっていても良い。
【０１０２】
例えば、図１４（ｃ）の表示領域ＰＤ16Cを、図１５に示す如く一部画像表示領域ＰＤ16Fに置換するようにしても構わない。一部画像表示領域ＰＤ16Fの一部は、表示領域（全体画像表示領域）ＷＤ16の外に位置している。この置換を行った場合、図１４（ｃ）の画像１０３が表示されるべきタイミングにおいて、一部画像表示領域ＰＤ16F内に一部画像Ｐ6B（図１０参照）が表示されることになる。
【０１０３】
＜＜第４実施例＞＞
次に、第４実施例について説明する。第４実施例では、第１実施例と同様、図１の表示対象画像Ｗ1〜Ｗ5を一覧表示する場合を例にとる。そして、第２実施例と同様の手法を用いることによって、即ち、顔を含む各表示対象画像についての顔サイズ評価値と第１閾値ＳTH1（又は第２閾値ＳTH2）とを用いた比較処理を介して、表示対象画像Ｗ1〜Ｗ5の内、表示対象画像Ｗ1及びＷ2のみが拡大対象画像として認定されたとする。
【０１０４】
制御部１３は、各表示対象画像を一覧表示する際、各拡大対象画像内に注目領域を定義する。各拡大対象画像内において、注目領域は、時間経過に伴って当該拡大対象画像内を移動する。そして、移動する注目領域内の画像は、表示画面５０上で拡大表示される。
【０１０５】
各拡大対象画像に対する処理は同様であるため、拡大対象画像の１つである表示対象画像Ｗ1に着目して、注目領域についてより具体的に説明する。
【０１０６】
図１６（ａ）、（ｂ）及び（ｃ）の夫々は、注目領域を明示した表示対象画像Ｗ1を示している。符号６０が、表示対象画像Ｗ1内に定義された注目領域である。図１６（ａ）、（ｂ）及び（ｃ）に示す如く、注目領域６０の画像サイズは、表示対象画像Ｗ1の画像サイズよりも小さく、例えば、表示対象画像Ｗ1の画像サイズの１／４以下とされる。
【０１０７】
注目領域６０は、時間が経過するにつれて、図１６（ａ）から図１６（ｂ）、図１６（ｃ）へと向かうように、表示対象画像Ｗ1内を移動する。例えば、注目領域６０は、時間が経過するにつれて、表示対象画像Ｗ1の端部付近を沿うように表示対象画像Ｗ1の中央の周りを時計回りで移動する。このため、注目領域６０内の画像は刻一刻と変化する。この刻一刻と変化する注目領域６０内の画像は、サムネイル画像再生モードの一覧表示時において一部画像表示領域に拡大表示されるべき表示対象画像Ｗ1の一部画像として取り扱われる。
【０１０８】
尚、注目領域６０の移動の仕方は任意である。例えば、表示対象画像Ｗ1を水平方向又は垂直方向に走査するように注目領域６０を移動させても良い。
【０１０９】
上述のように、表示対象画像Ｗ1〜Ｗ5の内、表示対象画像Ｗ1及びＷ2のみが拡大対象画像として認定された場合、サムネイル画像再生モードでの表示画面５０は、第２実施例と同様、図８のように領域分割される。即ち、表示画面５０上に、表示領域ＷＤ1〜ＷＤ5と表示領域ＰＤ1及びＰＤ2が設けられる。第２実施例で述べたように、表示領域ＰＤ1及びＰＤ2と表示領域ＷＤ1〜ＷＤ5は、互いに重なり合わない。また、拡大対象画像として認定されない表示対象画像Ｗ3〜Ｗ5に対しては、表示領域ＰＤ1のような一部画像表示領域は定義されず、注目領域も定義されない。
【０１１０】
図１７（ａ）及び（ｂ）の夫々は、サムネイル画像再生モードにおいて、図８のように領域分割された表示画面５０上に各表示対象画像が一覧表示される様子を示している。但し、図１７（ａ）は、第１のタイミングにおける表示画面５０の表示内容を示し、、図１７（ｂ）は、第２のタイミングにおける表示画面５０の表示内容を示している。ここで、第１と第２のタイミングは互いに異なっており、第１及び第２のタイミングは、それぞれ図１６（ａ）及び図１６（ｃ）に対応している。尚、図１７（ａ）及び（ｂ）における符号６１は、表示領域ＷＤ2に表示されるべき表示対象画像Ｗ2に対して定義された注目領域を表す。
【０１１１】
第１と第２のタイミングの双方において、表示領域ＷＤ1〜ＷＤ5に、それぞれ表示対象画像Ｗ1〜Ｗ5の各全体画像が表示され、且つ、表示領域ＰＤ1及びＰＤ2に、それぞれ注目領域６０及び６１の拡大画像が表示される。注目領域は時間経過に伴って移動するため、図１７（ａ）と（ｂ）とで、表示領域ＰＤ1及びＰＤ2の表示画像は異なっている。制御部１３は、時間経過に伴って表示対象画像Ｗ1内を移動する注目領域６０の画像を切り出し、切り出した画像が表示領域ＰＤ1の全体を用いて表示されるように、切り出した画像を適宜拡大する。通常、注目領域６０の画像サイズは一定とされ且つ表示領域ＰＤ1のサイズも一定とされるため、切り出した画像の拡大倍率は一定とされる。注目領域６１についても同様である。
【０１１２】
第４実施例の表示手法を採用することにより、ユーザは、各表示対象画像を全体的に見ながら局所的な拡大画像を連続的に観察することができる。このため、常にではないが一部画像表示領域（ＰＤ1等）に顔が拡大表示され、人物の確認も容易となる。また、比較的小さな顔が含まれている表示対象画像に対してのみ一部画像表示領域を設けるようにすることで、無駄に表示スペースを消費するといったことが無くなる。
【０１１３】
また、顔検出部１４の顔検出結果を参照すれば、表示対象画像中における顔の位置が分かるため、顔の位置している部分周辺を重点的に拡大表示するようにしてもよい。即ち例えば、表示対象画像Ｗ1の右側半分に顔が位置しているならば、表示対象画像Ｗ1の右側半分にのみ注目領域６０を位置させる。この場合も、注目領域６０は、表示対象画像Ｗ1の右側半分内を時間経過に伴って移動する。
【０１１４】
＜＜第５実施例＞＞
次に、第５実施例について説明する。第５実施例では、図１の表示対象画像Ｗ1〜Ｗ5と図５の表示対象画像Ｗ6を一覧表示する場合を例にとる。そして、第２実施例と同様の手法を用いることによって、即ち、顔を含む各表示対象画像についての顔サイズ評価値と第１閾値ＳTH1（又は第２閾値ＳTH2）とを用いた比較処理を介して、拡大対象画像を認定する。今、表示対象画像Ｗ1〜Ｗ6の内、表示対象画像Ｗ1のみが拡大対象画像として認定されたとする。
【０１１５】
この場合、第４実施例と同様、表示対象画像Ｗ1に対して注目領域が定義される。注目領域は、第４実施例と同様、表示対象画像内を移動する。即ち、表示対象画像Ｗ1内に、図１６（ａ）、（ｂ）及び（ｃ）に示す注目領域６０が定義され、注目領域６０は表示対象画像Ｗ1内を時間経過に伴って移動する。このため、注目領域６０内の画像は刻一刻と変化する。そして第４実施例と同様、この刻一刻と変化する注目領域６０内の画像は、サムネイル画像再生モードの一覧表示時において一部画像表示領域に拡大表示されるべき表示対象画像Ｗ1の一部画像として取り扱われる。
【０１１６】
第５実施例では、第４実施例と異なり、注目領域６０内の画像を拡大表示するための一部画像表示領域が全体画像表示領域内に設けられる。
【０１１７】
第５実施例に係るサムネイル画像再生モードでの表示画面５０の領域分割手法は、第３実施例のそれと同じである。即ち、サムネイル画像再生モードにおいて、表示画面５０は、図１２に示すように領域分割され、表示画面５０に表示領域（全体画像表示領域）ＷＤ11〜ＷＤ16が設けられる。そして、表示領域ＷＤ11〜ＷＤ16に、夫々、表示対象画像Ｗ1〜Ｗ6が表示される。
【０１１８】
但し、拡大対象画像として認定された表示対象画像Ｗ1に対応する表示領域ＷＤ11の表示内容は時間経過に伴って変化する。
【０１１９】
図１８（ａ）、（ｂ）及び（ｃ）は、注目領域６０に移動に伴って変化する、表示領域ＷＤ11の表示内容を示している。図１８（ａ）に示す画像１１１は、注目領域６０が図１６（ａ）に示す位置にある時（以下、タイミングＴ１という）の表示領域ＷＤ11の表示画像を表し、図１８（ｂ）に示す画像１１２は、注目領域６０が図１６（ｂ）に示す位置にある時（以下、タイミングＴ２という）の表示領域ＷＤ11の表示画像を表し、図１８（ｃ）に示す画像１１３は、注目領域６０が図１６（ｃ）に示す位置にある時（以下、タイミングＴ３という）の表示領域ＷＤ11の表示画像を表す。
【０１２０】
表示領域（全体画像表示領域）ＷＤ11内に、タイミングＴ１において一部画像表示領域ＰＤ11Aが設けられ、タイミングＴ２において一部画像表示領域ＰＤ11Bが設けられ、タイミングＴ３において一部画像表示領域ＰＤ11Cが設けられる。一部画像表示領域ＰＤ11A、ＰＤ11B及びＰＤ11Cには、夫々、タイミングＴ１における注目領域６０内の画像、タイミングＴ２における注目領域６０内の画像、タイミングＴ３における注目領域６０内の画像が拡大表示される。表示領域ＷＤ11における一部画像表示領域の位置は、表示対象画像Ｗ1における注目領域６０の位置の変化に連動して変化する。
【０１２１】
尚、表示対象画像Ｗ1の全体画像の観察容易化などを目的として、タイミングＴ１〜Ｔ３とは別に、一部画像表示領域が存在しないタイミング（換言すれば注目領域が存在しないタイミング）を設けるようにしても構わない。
【０１２２】
タイミングＴ１において、一部画像表示領域ＰＤ11Aに対応する、表示対象画像Ｗ1の一部は、一時的に表示されないことになる。即ち、注目領域６０内の画像の拡大画像は、表示対象画像Ｗ1の全体画像上に表示される。タイミングＴ２及びＴ３についても同様である。
【０１２３】
制御部１３は、時間経過に伴って表示対象画像Ｗ1内を移動する注目領域６０の画像を切り出し、切り出した画像が一部画像表示領域（ＰＤ11A等）の全体を用いて表示されるように、切り出した画像を適宜拡大する。通常、注目領域６０の画像サイズは一定とされ且つ一部画像表示領域（ＰＤ11A等）のサイズも一定とされるため、切り出した画像の拡大倍率は一定とされる。
【０１２４】
第５実施例の表示手法を採用することにより、ユーザは、各表示対象画像を全体的に見ながら局所的な拡大画像を連続的に観察することができる。このため、常にではないが一部画像表示領域（ＰＤ1等）に顔が拡大表示され、人物の確認も容易となる。また、拡大表示を必要としないような表示対象画像に対して一部画像表示領域を設けると、かえって該表示対象画像の内容確認が妨げられる。これを考慮し、比較的小さな顔が含まれている表示対象画像に対してのみ一部画像表示領域を設けるようにしている。
【０１２５】
また、顔検出部１４の顔検出結果を参照すれば、表示対象画像中における顔の位置が分かるため、顔の位置している部分周辺を重点的に拡大表示するようにしてもよい。即ち例えば、表示対象画像Ｗ1の右側半分に顔が位置しているならば、表示対象画像Ｗ1の右側半分にのみ注目領域６０を位置させる。この場合も、注目領域６０は、表示対象画像Ｗ1の右側半分内を時間経過に伴って移動する。
【０１２６】
また、上述の例では、一部画像表示領域の全体が全体画像表示領域内に収まっているが、第３実施例で述べたのと同様、一部画像表示領域の一部が全体画像表示領域の外に位置していても構わない。即ち、一部画像表示領域の全部が、その一部画像表示領域に対応する全体画像表示領域に重なっていても良いし、一部画像表示領域の一部のみが、その一部画像表示領域に対応する全体画像表示領域に重なっていても良い。
【０１２７】
＜＜変形等＞＞
上述の実施形態の変形例または注釈事項として、以下に、注釈１〜注釈４を記す。各注釈に記載した内容は、矛盾なき限り、任意に組み合わせることが可能である。
【０１２８】
［注釈１］
上述の実施形態では、撮影画像の中から顔を検出しているが、撮影画像の中から検出される物体は顔以外であってもよい。例えば、検出される物体は、顔を含む、人物の上半身であってもよい。
【０１２９】
撮影画像の中から人物の上半身を検出する手法として様々な手法が知られており、本発明は、何れの手法をも採用可能である。人物の上半身を、顔検出を利用し、顔を基準として検出するようにしてもよいし、撮影画像中の物体の輪郭（人物のシルエット）から検出するようにしてもよい。
【０１３０】
［注釈２］
また、上述した説明文中に示した具体的な数値は、単なる例示であって、当然の如く、それらを様々な数値に変更することができる。
【０１３１】
［注釈３］
また、図１の撮像装置１は、ハードウェア、或いは、ハードウェアとソフトウェアの組み合わせによって実現可能である。特に、サムネイル画像再生モードにおける表示制御を行うために必要な演算処理は、ソフトウェア、またはハードウェアとソフトウェアの組み合わせによって実現可能である。
【０１３２】
ソフトウェアを用いて撮像装置１を構成する場合、ソフトウェアにて実現される部位についてのブロック図は、その部位の機能ブロック図を表すことになる。また、上記表示制御を行うために必要な演算処理の全部または一部を、プログラムとして記述し、該プログラムをプログラム実行装置（例えばコンピュータ）上で実行することによって、その演算処理の全部または一部を実現するようにしてもよい。
【０１３３】
［注釈４］
図１の顔検出部１４は、撮影画像の中から所定種類の物体を検出する物体検出手段として機能する。顔検出部１４は、所定種類の物体として人物の顔を検出する。上述したように、物体検出手段によって検出される所定種類の物体は、顔以外であってもよく、人物の上半身などであってもよい。
【０１３４】
図１の制御部１３は表示制御手段として機能する。上述の実施形態において、表示制御手段として機能する制御部１３と、表示手段として機能する表示部１５と、によって画像再生装置が形成される。この画像再生装置には、必要に応じて、物体検出手段として機能する顔検出部１４が含められる。また、この画像再生装置に、記憶媒体１６が含まれていると考えることも可能である。
【０１３５】
また、撮像装置１の構成要素によって形成される上記画像再生装置の機能を、それと同等の機能を備えた他の機器（例えばコンピュータ）にて実現することも可能である。この場合、この他の機器が、画像再生装置として機能する。
【図面の簡単な説明】
【０１３６】
【図１】本発明の実施の形態に係る撮像装置の全体ブロック図である。
【図２】図１の撮像部の内部構成図である。
【図３】図１の表示部１５に一覧表示されるべき５枚の表示対象画像を示す図である。
【図４】本発明の第１実施例に係る、一覧表示画面を示す図である。
【図５】図１の表示部１５に一覧表示されるべき他の表示対象画像であって、複数の顔を含む表示対象画像を示す図である。
【図６】本発明の第１実施例に係り、サムネイル画像再生モードにおける図１の撮像装置の動作手順を表すフローチャートである。
【図７】図３の表示対象画像内の、顔を含む一部画像を表す図である。
【図８】本発明の第２（又は第４）実施例に係る、図１の表示部の表示画面の領域分割手法を表す図である。
【図９】本発明の第２実施例に係る、一覧表示画面を示す図である。
【図１０】図５の表示対象画像内の、顔を含む一部画像を表す図である。
【図１１】本発明の第２実施例に係る、他の一覧表示画面を示す図である。
【図１２】本発明の第３（又は第５）実施例に係る、図１の表示部の表示画面の領域分割手法を表す図である。
【図１３】本発明の第３実施例に係る、一覧表示画面を示す図である。
【図１４】図１３の１つの全体画像表示領域における、表示の遷移状態を示す図である。
【図１５】図１３の１つの全体画像表示領域における、表示の変形例を示す図である。
【図１６】本発明の第４（又は第５）実施例に係る、注目領域の移動の様子を示す図である。
【図１７】本発明の第４実施例に係る、一覧表示画面を示す図である。
【図１８】本発明の第５実施例に係る、或る１つの全体画像表示領域内の表示の遷移状態を示す図である。
【符号の説明】
【０１３７】
１  撮像装置
１１  撮像部
１２  ＡＦＥ
１３  制御部
１４  顔検出部
１５  表示部
１６  記録媒体
１７  操作部
３３  撮像素子
【図１】
2008109553.tif 000003
【図２】
2008109553.tif 000004
【図３】
2008109553.tif 000005
【図４】
2008109553.tif 000006
【図５】
2008109553.tif 000007
【図６】
2008109553.tif 000008
【図７】
2008109553.tif 000009
【図８】
2008109553.tif 000010
【図９】
2008109553.tif 000011
【図１０】
2008109553.tif 000012
【図１１】
2008109553.tif 000013
【図１２】
2008109553.tif 000014
【図１３】
2008109553.tif 000015
【図１４】
2008109553.tif 000016
【図１５】
2008109553.tif 000017
【図１６】
2008109553.tif 000018
【図１７】
2008109553.tif 000019
【図１８】
2008109553.tif 000020